(57)【特許請求の範囲】
【請求項１】
原稿を複数のセット原稿に分けて読み取る継足原稿読取モードとともに原稿の両面を読み取る両面原稿読取モードを設定する設定手段と、セット原稿を読み取る読取手段と、前記読取手段が読み取ったセット原稿の画情報を蓄積する蓄積手段と、前記蓄積手段が蓄積した表面の画情報と裏面の画情報を組み替えて、原稿と同様の態様とする組替手段とを備えた画像処理装置であって、
前記読取手段がセット原稿の表面を読み取った後に、後続するセット原稿の表面が無いことを示すための特定キーの入力を促す第一情報を表示する第一の表示手段と、
前記特定キーが入力された場合には、セット原稿の裏面のセットを促す第二情報を表示する第二の表示手段とを備えたことを特徴とする画像処理装置。
【請求項２】
請求項１に記載の画像処理装置であって、
前記読取手段が読み取ったセット原稿の表面と裏面の原稿枚数が一致するか否かを判断する判断手段と、
前記判断手段が表面と裏面の原稿枚数が一致しないと判断した場合には、前記蓄積手段が蓄積した画情報を消去する消去手段とをさらに備えたことを特徴とする画像処理装置。
【請求項３】
請求項２に記載の画像処理装置であって、
前記判断手段が表面と裏面の原稿枚数が一致しないと判断した場合には、前記蓄積手段が蓄積した画情報を消去するか否かを問い合わせる情報を表示し、前記画情報を消去する指示を受け付けた場合に、前記消去手段が前記画情報を消去することを特徴とする画像処理装置。
【請求項４】
請求項１乃至３に記載の画像処理装置であって、
前記第一の表示手段が前記第一情報を表示してから所定時間経過した場合には、前記第二の表示手段が前記第二情報を表示することを特徴とする画像処理装置。
【請求項５】
請求項１乃至３に記載の画像処理装置であって、
前記第一の表示手段が前記第一情報を表示してから所定時間経過した場合には、前記蓄積手段が蓄積した画情報を消去する消去手段をさらに備えたことを特徴とする画像処理装置。
【請求項６】
請求項５に記載の画像処理装置であって、
前記第一の表示手段が前記第一情報を表示してから所定時間経過した場合には、前記蓄積手段が蓄積した画情報を消去するか否かを問い合わせる情報を表示し、前記画情報を消去する指示を受け付けた場合に、前記消去手段が前記画情報を消去することを特徴とする画像処理装置。
【請求項７】
請求項１乃至６に記載の画像処理装置であって、
送り状の原稿が付加されている旨の指定を受け付ける受付手段と、
前記受付手段が前記指定を受け付けた場合に、セット原稿の先頭の一枚を送り状として登録し、後続するセット原稿の表面の画情報と裏面の画情報を組み替えて、原稿と同様の態様として送信する送信手段とをさらに備えたことを特徴とする画像処理装置。
【請求項８】
原稿を複数のセット原稿に分けて読み取る継足原稿読取モードとともに原稿の両面を読み取る両面原稿読取モードを設定する設定手段と、セット原稿を読み取る読取手段と、前記読取手段が読み取ったセット原稿の画情報を蓄積する蓄積手段と、前記蓄積手段が蓄積した表面の画情報と裏面の画情報を組み替えて、原稿と同様の態様とする組替手段とを備えた画像処理装置の制御方法であって、
前記読取手段がセット原稿の表面を読み取った後に、後続するセット原稿の表面が無いことを示すための特定キーの入力を促す第一情報を表示するとともに、
前記特定キーが入力された場合には、セット原稿の裏面のセットを促す第二情報を表示するようにしたことを特徴とする画像処理装置の制御方法。
【請求項９】
請求項８に記載の画像処理装置の制御方法であって、
前記読取手段が読み取ったセット原稿の表面と裏面の原稿枚数が一致するか否かを判断し、表面と裏面の原稿枚数が一致しないと判断した場合には、前記蓄積手段が蓄積した画情報を消去するようにしたことを特徴とする画像処理装置の制御方法。
【請求項１０】
請求項９に記載の画像処理装置の制御方法であって、
表面と裏面の原稿枚数が一致しないと判断した場合には、前記蓄積手段が蓄積した画情報を消去するか否かを問い合わせる情報を表示し、前記画情報を消去する指示を受け付けた場合に、前記画情報を消去することを特徴とする画像処理装置の制御方法。
【請求項１１】
請求項８乃至１０に記載の画像処理装置の制御方法であって、
前記第一情報を表示してから所定時間経過した場合には、前記第二情報を表示することを特徴とする画像処理装置の制御方法。
【請求項１２】
請求項８乃至１０に記載の画像処理装置の制御方法であって、
前記第一情報を表示してから所定時間経過した場合には、蓄積した画情報を消去することを特徴とする画像処理装置の制御方法。
【請求項１３】
請求項１２に記載の画像処理装置の制御方法であって、
前記第一情報を表示してから所定時間経過した場合には、蓄積した画情報を消去するか否かを問い合わせる情報を表示し、前記画情報を消去する指示を受け付けた場合に、前記画情報を消去することを特徴とする画像処理装置の制御方法。
【請求項１４】
請求項８乃至１３に記載の画像処理装置の制御方法であって、
送り状の原稿が付加されている旨の指定を受け付けた場合に、セット原稿の先頭の一枚を送り状として登録し、後続するセット原稿の表面の画情報と裏面の画情報を組み替えて、原稿と同様の態様として送信するようにしたことを特徴とする画像処理装置の制御方法。
【発明の詳細な説明】
【０００１】
【発明の属する技術分野】
本発明は、原稿を複数のセット原稿に分けて読み取る継足原稿読取モードとともに原稿の両面を読み取る両面原稿読取モードを設定する設定手段と、セット原稿を読み取る読取手段と、前記読取手段が読み取ったセット原稿の画情報を蓄積する蓄積手段と、前記蓄積手段が蓄積した表面の画情報と裏面の画情報を組み替えて、原稿と同様の態様とする組替手段とを備えた画像処理装置、および、原稿を複数のセット原稿に分けて読み取る継足原稿読取モードとともに原稿の両面を読み取る両面原稿読取モードを設定する設定手段と、セット原稿を読み取る読取手段と、前記読取手段が読み取ったセット原稿の画情報を蓄積する蓄積手段と、前記蓄積手段が蓄積した表面の画情報と裏面の画情報を組み替えて、原稿と同様の態様とする組替手段とを備えた画像処理装置の制御方法に関する。
【０００２】
【従来の技術】
一般に、安価なファクシミリ装置のように、原稿台に載置された複数の読取原稿を一枚ずつ分離する原稿自動搬送機能と、上記原稿自動搬送機能により分離された読取原稿の片面の画像を読み取って蓄積する画像処理機能を備えた装置においては、大量の原稿を一度の送信動作時の原稿読取動作では読み取ることができない。
【０００３】
そこで、従来は、ユーザが原稿を複数の原稿セットに分け、それぞれの原稿セットについて読取動作を行わせて複数の画像データファイルを作成し、それぞれの画像データファイルを統合して１つの画像データファイルを形成し、その統合後の画像データファイルを送信する等の方法が採用されていた。
【０００４】
あるいは、同一宛先への画情報ファイルを１度の通信で連続的に送信するいわゆる列信機能を利用して、大量の複数の読取動作で得た複数の画情報ファイルを、同一宛先へ連続的に送信することで、大量の送信原稿を同一宛先へ送信できるようにしている。
【０００５】
【発明が解決しようとする課題】
しかしながら、このような従来装置では、両面に記録面のある両面原稿を多数送信する際、操作が面倒になると言う不具合を生じていた。
【０００６】
本発明は、かかる実情に鑑みてなされたものであり、大量の両面原稿を読取処理する際に便利な画像処理装置、および、画像処理装置の制御方法を提供することを目的としている。
【０００７】
【課題を解決するための手段】
本発明は、原稿を複数のセット原稿に分けて読み取る継足原稿読取モードとともに原稿の両面を読み取る両面原稿読取モードを設定する設定手段と、セット原稿を読み取る読取手段と、前記読取手段が読み取ったセット原稿の画情報を蓄積する蓄積手段と、前記蓄積手段が蓄積した表面の画情報と裏面の画情報を組み替えて、原稿と同様の態様とする組替手段とを備えた画像処理装置であって、前記読取手段がセット原稿の表面を読み取った後に、後続するセット原稿の表面が無いことを示すための特定キーの入力を促す第一情報を表示する第一の表示手段と、  前記特定キーが入力された場合には、セット原稿の裏面のセットを促す第二情報を表示する第二の表示手段とを備えたものである。
【０００８】
また、前記読取手段が読み取ったセット原稿の表面と裏面の原稿枚数が一致するか否かを判断する判断手段と、前記判断手段が表面と裏面の原稿枚数が一致しないと判断した場合には、前記蓄積手段が蓄積した画情報を消去する消去手段とをさらに備えたものである。
【０００９】
また、前記判断手段が表面と裏面の原稿枚数が一致しないと判断した場合には、前記蓄積手段が蓄積した画情報を消去するか否かを問い合わせる情報を表示し、前記画情報を消去する指示を受け付けた場合に、前記消去手段が前記画情報を消去するようにしたものである。
【００１０】
また、前記第一の表示手段が前記第一情報を表示してから所定時間経過した場合には、前記第二の表示手段が前記第二情報を表示するようにしたものである。
【００１１】
また、前記第一の表示手段が前記第一情報を表示してから所定時間経過した場合には、前記蓄積手段が蓄積した画情報を消去する消去手段をさらに備えたものである。
【００１２】
また、前記第一の表示手段が前記第一情報を表示してから所定時間経過した場合には、前記蓄積手段が蓄積した画情報を消去するか否かを問い合わせる情報を表示し、前記画情報を消去する指示を受け付けた場合に、前記消去手段が前記画情報を消去するようにしたものである。
【００１３】
また、送り状の原稿が付加されている旨の指定を受け付ける受付手段と、前記受付手段が前記指定を受け付けた場合に、セット原稿の先頭の一枚を送り状として登録し、後続するセット原稿の表面の画情報と裏面の画情報を組み替えて、原稿と同様の態様として送信する送信手段とをさらに備えたものである。
【００１４】
また、原稿を複数のセット原稿に分けて読み取る継足原稿読取モードとともに原稿の両面を読み取る両面原稿読取モードを設定する設定手段と、セット原稿を読み取る読取手段と、前記読取手段が読み取ったセット原稿の画情報を蓄積する蓄積手段と、前記蓄積手段が蓄積した表面の画情報と裏面の画情報を組み替えて、原稿と同様の態様とする組替手段とを備えた画像処理装置の制御方法であって、前記読取手段がセット原稿の表面を読み取った後に、後続するセット原稿の表面が無いことを示すための特定キーの入力を促す第一情報を表示するとともに、前記特定キーが入力された場合には、セット原稿の裏面のセットを促す第二情報を表示するようにしたものである。
【００１５】
また、前記読取手段が読み取ったセット原稿の表面と裏面の原稿枚数が一致するか否かを判断し、表面と裏面の原稿枚数が一致しないと判断した場合には、前記蓄積手段が蓄積した画情報を消去するようにしたものである。
【００１６】
また、表面と裏面の原稿枚数が一致しないと判断した場合には、前記蓄積手段が蓄積した画情報を消去するか否かを問い合わせる情報を表示し、前記画情報を消去する指示を受け付けた場合に、前記画情報を消去するようにしたものである。
【００１７】
また、前記第一情報を表示してから所定時間経過した場合には、前記第二情報を表示するようにしたものである。
【００１８】
また、前記第一情報を表示してから所定時間経過した場合には、蓄積した画情報を消去するようにしたものである。
【００１９】
また、前記第一情報を表示してから所定時間経過した場合には、蓄積した画情報を消去するか否かを問い合わせる情報を表示し、前記画情報を消去する指示を受け付けた場合に、前記画情報を消去するようにしたものである。
【００２０】
また、送り状の原稿が付加されている旨の指定を受け付けた場合に、セット原稿の先頭の一枚を送り状として登録し、後続するセット原稿の表面の画情報と裏面の画情報を組み替えて、原稿と同様の態様として送信するようにしたものである。
【００２５】
【発明の実施の形態】
以下、添付図面を参照しながら、本発明の実施の形態を詳細に説明する。
【００２６】
図１は、本発明の一実施例にかかるグループ３ファクシミリ装置を示している。
【００２７】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００２８】
スキャナ５は、所定の解像度で原稿画像を読み取るためのものであり、原稿台（図示略）に載置された複数の読取原稿を一枚ずつ分離する原稿自動搬送機能も備えている。プロッタ６は、所定の解像度で画像を記録出力するためのものであり、操作表示部７は、このグループ３ファクシミリ装置を操作するためのもので、各種の操作キー、および、各種の表示器からなる。
【００２９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３１】
網制御装置１１は、このグループ３ファクシミリ装置をアナログ公衆網ＰＳＴＮに接続するためのものであり、自動発着信機能を備えている。また、網制御装置１１には、通話の際に使用されるハンドセット１２が付設されている。
【００３２】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１３に接続されており、これらの各要素間でのデータのやりとりは、主としてこの内部バス１３を介して行われている。
【００３３】
また、網制御装置１１とグループ３ファクシミリモデム１０との間のデータのやりとりは、直接行なわれている。
【００３４】
図２は、操作表示部７の一例を示している。
【００３５】
同図において、スタートキー７ａは、このグループ３ファクシミリ装置の送受信動作の開始を指令入力するためのものであり、ストップキー７ｂは、このグループ３ファクシミリ装置の動作の停止を指令入力するためのものであり、コピーキー７ｃは、このグループ３ファクシミリ装置のコピー動作の開始を指令入力するためのものであり、テンキー７ｄは、電話番号などの数字（数値）情報を入力するためのものである。
【００３６】
ワンタッチダイアルキー７ｅは、１つのキー操作で宛先番号などを操作入力するとともに、このグループ３ファクシミリ装置における各種登録情報を構成する文字等を入力するためのものである。
【００３７】
両面原稿キー７ｆは、両面原稿読取モード（後述）を指定する際に操作されるものであり、ランプ７ｇは、両面原稿キー７ｆが操作されて両面原稿読取モードが選択されている旨を表示するためのものである。
【００３８】
継足原稿キー７ｈは、継足原稿読取モード（後述）を指定する際に操作されるものであり、ランプ７ｉは、継足原稿キー７ｈが操作されて継足原稿読取モードが選択されている旨を表示するためのものである。
【００３９】
液晶表示器７ｊは、このグループ３ファクシミリ装置の操作ガイダンスの表示や、入力情報のフィードバック表示などの種々のメッセージを表示するためのものである。
【００４０】
ファンクションキー７ｋは、このグループ３ファクシミリ装置の各種機能（例えば、ワンタッチダイアルキー７ｅへのデータ登録など）を行う際のファンクション操作を起動操作するためのものであり、ＹＥＳキー７ｌは、液晶表示器７ｊに表示されたガイダンスメッセージに対する肯定的な回答を入力するためのものであり、ＮＯキー７ｍは、液晶表示器７ｊに表示されたガイダンスメッセージに対する否定的な回答を入力するためのものである。
【００４１】
また、また、ランプ７ｎは、通信中を点灯表示するものであり、ランプ７ｏは、何らかの異常が発生している状態を警告するために点灯表示するためのものである。
【００４２】
さて、本実施例では、大量の読取原稿を複数回に分けて読取入力することのできる継足原稿読取モードと、両面原稿の両面を読取入力することのできる両面原稿読取モードを備えている。また、継足原稿読取モードと両面原稿読取モードを組み合わせることも可能である。
【００４３】
例えば、読取原稿を３つの原稿セット（セット原稿＃１，＃２，＃３；それぞれ表面がＬページ、Ｍページ、Ｎページで裏面がＱ（＝Ｌ）ページ、Ｒ（＝Ｍ）ページ、Ｓ（＝Ｎ）ページ）に分け、継足原稿読取モードと両面原稿読取モードを指定した場合、図３に示すように、１番目のセット原稿＃１の表面の読取動作、２番目のセット原稿＃２の表面の読取動作、３番目のセット原稿＃３の表面の読取動作に続き、セット原稿＃１の裏面の読取動作、セット原稿＃２の裏面の読取動作、セット原稿＃３の裏面の読取動作が行われ、総計（Ｌ＋Ｍ＋Ｎ＋Ｑ＋Ｒ＋Ｓ）ページの送信原稿からなる画像データファイルが形成される。
【００４４】
また、このようにして、最初にセット原稿の表面を連続的に読み取り（継足原稿読取モード）、次いで、セット原稿の裏面を連続的に読み取るようにしているので、このような読取動作により得られた画像データのページは、図４に示すように組み替えた後に、送信動作を行うようにしている。
【００４５】
すなわち、組み替え後のページ順序は、セット原稿の１ページ目の表面、１ページ目の裏面、２ページ目の表面、２ページ目の裏面、・・・と、ページ毎に表面と裏面が連続する態様に整列される。
【００４６】
図５および図６は、操作表示部７の液晶表示器７ｊに表示する表示画面の一例を示している。なお、これらの表示画面は、例えば、後述する原稿読み取り処理において、適宜に選択表示されるものである。
【００４７】
図５（ａ）は、待機中の画面表示であり、この状態から、送信原稿がスキャナ５にセットされ、操作表示部７のワンタッチキー７ｅにより宛先が選択されると、同図（ｂ）に示したような画面表示に切り替わる。
【００４８】
また、図５（ｃ）は原稿読み取り中の表示画面、同図（ｄ）は、原稿セットとスタートキー７ａの押し下げを促すガイダンスメッセージの表示画面、同図（ｅ）は、原稿セットとスタートキー７ａの押し下げ、あるいは、原稿終了をあらわす「＃」キーの押し下げを促すガイダンスメッセージの表示画面、同図（ｆ）は、原稿セットを促すガイダンスメッセージの表示画面である。
【００４９】
また、図６（ａ）は、文書消去を問い合わせるガイダンスメッセージの表示画面、同図（ｂ）は、両面原稿読取モードの裏面読み取りに移行する際に表示されるガイダンスメッセージの表示画面、同図（ｃ）は、両面原稿読取モードの裏面原稿セットとスタートキー７ａの押し下げを促すガイダンスメッセージの表示画面、同図（ｄ）は、裏面読み取り時、裏面原稿の読取枚数と、対応する原稿セットの表面の読取枚数が一致しなかった際に文書消去の確認を促すガイダンスメッセージの表示画面である。
【００５０】
図７は、原稿読取処理の一例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【００５１】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理１０１）。また、この処理１０１を行っている間、液晶表示器７ｊには、図５（ｃ）に示したようなガイダンスメッセージを表示して、原稿読取動作中である旨をユーザに対して通知する。
【００５２】
そして、１ページ分の原稿読み取りを終了すると、次のページが原稿台に載置されているかどうかを調べ（判断１０２）、判断１０２の結果がＹＥＳになるときには、処理１０１へ戻り、残りの原稿の読み取り動作を行う。
【００５３】
原稿台に読取原稿が載置されていない場合で、判断１０２の結果がＮＯになるときには、１つのセット原稿の表面または読み取りが終了した場合である。そこで、そのときに継足原稿読取モードがセットされているかどうかを調べる（判断１０３）。
【００５４】
判断１０３の結果がＹＥＳになるときには、所定時間（例えば、３０秒等）を計時するためのタイマをセット（スタート）し（処理１０４）、図５（ｆ）に示したような原稿セット可能ガイダンスを表示する（処理１０５）。そして、その状態で、処理１０４でセット（スタート）したタイマがタイムアウトするまでに、次のセット原稿が原稿台にセットされるかどうかを調べる（判断１０６，１０７のＮＯループ）。
【００５５】
処理１０４でセット（スタート）したタイマがタイムアウトするまでに、次のセット原稿が原稿台にセットされた場合で、判断１０６の結果がＹＥＳになるときには、処理１０１へ戻り、次のセット原稿について、原稿の読み取り動作を行う。
【００５６】
また、処理１０４でセット（スタート）したタイマがタイムアウトするまでに、次のセット原稿が原稿台にセットされなかった場合で、判断１０７の結果がＹＥＳになるときには、裏面読取動作に移行する。
【００５７】
すなわち、まず、両面原稿読取モードがセットされているかどうかを調べ（判断１０８）、判断１０８の結果がＹＥＳになるときには、現在の読取面モードフラグに奇数側モードの値がセットされているかどうかを調べる（判断１０９）。現在の読取面モードフラグに奇数側モードの値がセットされている場合で、判断１０９の結果がＹＥＳになるときには、両面原稿読取モードがセットされている場合で、かつ、表面の読取動作が終了した場合である。
【００５８】
したがって、読取面モードフラグに偶数側モードの値をセットし（処理１１０）、所定時間（例えば、３０秒等）を計時するためのタイマをセット（スタート）し（処理１１１）、図６（ｂ）に示したような裏面セット指示ガイダンスを表示する（処理１１２）。
【００５９】
そして、その状態で、処理１１１でセット（スタート）したタイマがタイムアウトするまでに、裏面のセット原稿が原稿台にセットされるかどうかを調べる（判断１１３，１１４のＮＯループ）。
【００６０】
処理１１１でセット（スタート）したタイマがタイムアウトするまでに、裏面のセット原稿が原稿台にセットされた場合で、判断１１３の結果がＹＥＳになるときには、処理１０１へ戻り、次の裏面セット原稿について、原稿の読み取り動作を行う。
【００６１】
また、処理１１１でセット（スタート）したタイマがタイムアウトするまでに、次のセット原稿が原稿台にセットされなかった場合で、判断１１４の結果がＹＥＳになるときには、読取面モードフラグに奇数側モードの値をセットして（処理１１５）、この原稿読取処理を終了する。
【００６２】
また、継足原稿読取モードがセットされていない場合で、判断１０３の結果がＮＯになるときには、判断１０８へ進み、それ以降の処理を実行する。
【００６３】
また、判断１０８の結果がＮＯになる場合、および、判断１０９の結果がＮＯになる場合には、処理１１５へ進み、読取面モードフラグに奇数側モードの値をセットして、この原稿読取処理を終了する。
【００６４】
なお、ガイダンスメッセージの表示について、例えば、判断１０６，１０７のＮＯループを実行中、および、判断１１３，１１４のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【００６５】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【００６６】
図８は、原稿読取処理の他の例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【００６７】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理２０１）。また、この処理２０１を行っている間、液晶表示器７ｊには、図５（ｃ）に示したようなガイダンスメッセージを表示して、原稿読取動作中である旨をユーザに対して通知する。
【００６８】
そして、１ページ分の原稿読み取りを終了すると、次のページが原稿台に載置されているかどうかを調べ（判断２０２）、判断２０２の結果がＹＥＳになるときには、処理２０１へ戻り、残りの原稿の読み取り動作を行う。
【００６９】
原稿台に読取原稿が載置されていない場合で、判断２０２の結果がＮＯになるときには、１つのセット原稿の表面または読み取りが終了した場合である。そこで、そのときに継足原稿読取モードがセットされているかどうかを調べる（判断２０３）。
【００７０】
判断２０３の結果がＹＥＳになるときには、所定時間（例えば、３０秒等）を計時するためのタイマをセット（スタート）し（処理２０４）、図５（ｄ）に示したような原稿セット可能ガイダンスを表示する（処理２０５）。そして、その状態で、処理２０４でセット（スタート）したタイマがタイムアウトするまでに、スタートキー７ａが押し下げられるかどうかを調べる（判断２０６，２０７のＮＯループ）。
【００７１】
ここで、処理２０４でセット（スタート）したタイマがタイムアウトするまでに、スタートキー７ａが押し下げられた場合で、判断２０６の結果がＹＥＳになるときには、処理２０１へ戻り、次のセット原稿について、原稿の読み取り動作を行う。
【００７２】
また、処理２０４でセット（スタート）したタイマがタイムアウトするまでに、スタートキー７ａが押し下げられなかった場合で、判断２０７の結果がＹＥＳになるときには、裏面読取動作に移行する。
【００７３】
すなわち、まず、両面原稿読取モードがセットされているかどうかを調べ（判断２０８）、判断２０８の結果がＹＥＳになるときには、現在の読取面モードフラグに奇数側モードの値がセットされているかどうかを調べる（判断２０９）。現在の読取面モードフラグに奇数側モードの値がセットされている場合で、判断２０９の結果がＹＥＳになるときには、両面原稿読取モードがセットされている場合で、かつ、表面の読取動作が終了した場合である。
【００７４】
したがって、読取面モードフラグに偶数側モードの値をセットし（処理２１０）、所定時間（例えば、３０秒等）を計時するためのタイマをセット（スタート）し（処理２１１）、図６（ｃ）に示したような裏面セット指示ガイダンスを表示する（処理２１２）。
【００７５】
そして、その状態で、処理２１１でセット（スタート）したタイマがタイムアウトするまでに、スタートキー７ａが押し下げられるどうかを調べる（判断２１３，２１４のＮＯループ）。
【００７６】
処理２１１でセット（スタート）したタイマがタイムアウトするまでに、スタートキー７ａが押し下げられた場合で、判断２１３の結果がＹＥＳになるときには、処理２０１へ戻り、次の裏面セット原稿について、原稿の読み取り動作を行う。
【００７７】
また、処理２１１でセット（スタート）したタイマがタイムアウトするまでに、スタートキー７ａが押し下げられなかった場合で、判断２１４の結果がＹＥＳになるときには、読取面モードフラグに奇数側モードの値をセットして（処理２１５）、この原稿読取処理を終了する。
【００７８】
また、継足原稿読取モードがセットされていない場合で、判断２０３の結果がＮＯになるときには、判断２０８へ進み、それ以降の処理を実行する。
【００７９】
また、判断２０８の結果がＮＯになる場合、および、判断２０９の結果がＮＯになる場合には、処理２１５へ進み、読取面モードフラグに奇数側モードの値をセットして、この原稿読取処理を終了する。
【００８０】
なお、ガイダンスメッセージの表示について、例えば、判断２０６，２０７のＮＯループを実行中、および、判断２１３，２１４のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【００８１】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【００８２】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【００８３】
図９は、原稿読取処理のさらに他の例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【００８４】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理３０１）。また、この処理３０１を行っている間、液晶表示器７ｊには、図５（ｃ）に示したようなガイダンスメッセージを表示して、原稿読取動作中である旨をユーザに対して通知する。
【００８５】
そして、１ページ分の原稿読み取りを終了すると、次のページが原稿台に載置されているかどうかを調べ（判断３０２）、判断３０２の結果がＹＥＳになるときには、処理３０１へ戻り、残りの原稿の読み取り動作を行う。
【００８６】
原稿台に読取原稿が載置されていない場合で、判断３０２の結果がＮＯになるときには、１つのセット原稿の表面または読み取りが終了した場合である。そこで、そのときに継足原稿読取モードがセットされているかどうかを調べる（判断３０３）。
【００８７】
判断３０３の結果がＹＥＳになるときには、所定時間（例えば、３０秒等）を計時するためのタイマをセット（スタート）し（処理３０４）、図５（ｅ）に示したような原稿セット可能ガイダンスを表示する（処理１０５）。そして、その状態で、処理３０４でセット（スタート）したタイマがタイムアウトするまでに、スタートキー７ａが押し下げられるかどうか、あるいは、追加の原稿がない旨を通知するための「＃」キーが押し下げられたかどうかを調べる（判断３０６，３０７，３０８のＮＯループ）。
【００８８】
ここで、処理３０４でセット（スタート）したタイマがタイムアウトするまでに、スタートキー７ａが押し下げられた場合で、判断３０６の結果がＹＥＳになるときには、処理３０１へ戻り、次のセット原稿について、原稿の読み取り動作を行う。
【００８９】
また、処理３０４でセット（スタート）したタイマがタイムアウトするまでに、「＃」キーが押し下げられた場合で、判断３０７の結果がＹＥＳになる場合、および、処理３０４でセット（スタート）したタイマがタイムアウトするまでに、スタートキー７ａが押し下げられなかった場合で、判断３０８の結果がＹＥＳになるときには、裏面読取動作に移行する。
【００９０】
すなわち、まず、両面原稿読取モードがセットされているかどうかを調べ（判断３０９）、判断３０９の結果がＹＥＳになるときには、現在の読取面モードフラグに奇数側モードの値がセットされているかどうかを調べる（判断３１０）。現在の読取面モードフラグに奇数側モードの値がセットされている場合で、判断３１０の結果がＹＥＳになるときには、両面原稿読取モードがセットされている場合で、かつ、表面の読取動作が終了した場合である。
【００９１】
したがって、読取面モードフラグに偶数側モードの値をセットし（処理３１１）、所定時間（例えば、３０秒等）を計時するためのタイマをセット（スタート）し（処理３１２）、図６（ｃ）に示したような裏面セット指示ガイダンスを表示する（処理３１３）。
【００９２】
そして、その状態で、処理３１２でセット（スタート）したタイマがタイムアウトするまでに、スタートキー７ａが押し下げられるどうかを調べる（判断３１４，３１５のＮＯループ）。
【００９３】
処理３１２でセット（スタート）したタイマがタイムアウトするまでに、スタートキー７ａが押し下げられた場合で、判断３１４の結果がＹＥＳになるときには、処理３０１へ戻り、次の裏面セット原稿について、原稿の読み取り動作を行う。
【００９４】
また、処理３１２でセット（スタート）したタイマがタイムアウトするまでに、スタートキー７ａが押し下げられなかった場合で、判断３１５の結果がＹＥＳになるときには、読取面モードフラグに奇数側モードの値をセットして（処理３１６）、この原稿読取処理を終了する。
【００９５】
また、継足原稿読取モードがセットされていない場合で、判断３０３の結果がＮＯになるときには、判断３０９へ進み、それ以降の処理を実行する。
【００９６】
また、判断３０９の結果がＮＯになる場合、および、判断３１０の結果がＮＯになる場合には、処理３１６へ進み、読取面モードフラグに奇数側モードの値をセットして、この原稿読取処理を終了する。
【００９７】
なお、ガイダンスメッセージの表示について、例えば、判断３０６，３０７，３０８のＮＯループを実行中、および、判断３１４，３１５のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【００９８】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【００９９】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【０１００】
また、セット原稿の読み込みが終了した場合には、キー「＃」を押すことで、即両面原稿読取モードへ移行させることができるので、読取時に要する時間を短縮することができる。
【０１０１】
図１０，１１は、原稿読取処理のまたさらに他の例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【０１０２】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理４０１）。また、この処理４０１を行っている間、液晶表示器７ｊには、図５（ｃ）に示したようなガイダンスメッセージを表示して、原稿読取動作中である旨をユーザに対して通知する。
【０１０３】
そして、１ページ分の原稿読み取りを終了すると、次のページが原稿台に載置されているかどうかを調べ（判断４０２）、判断４０２の結果がＹＥＳになるときには、処理４０１へ戻り、残りの原稿の読み取り動作を行う。
【０１０４】
原稿台に読取原稿が載置されていない場合で、判断４０２の結果がＮＯになるときには、１つのセット原稿の表面または読み取りが終了した場合である。そこで、そのときに継足原稿読取モードがセットされているかどうかを調べる（判断４０３）。
【０１０５】
判断４０３の結果がＹＥＳになるときには、所定時間（例えば、３０秒等）を計時するためのタイマをセット（スタート）し（処理４０４）、図５（ｅ）に示したような原稿セット可能ガイダンスを表示する（処理４０５）。そして、その状態で、処理４０４でセット（スタート）したタイマがタイムアウトするまでに、スタートキー７ａが押し下げられるかどうか、あるいは、追加の原稿がない旨を通知するための「＃」キーが押し下げられたかどうかを調べる（判断４０６，４０７，４０８のＮＯループ）。
【０１０６】
ここで、処理４０４でセット（スタート）したタイマがタイムアウトするまでに、スタートキー７ａが押し下げられた場合で、判断４０６の結果がＹＥＳになるときには、処理４０１へ戻り、次のセット原稿について、原稿の読み取り動作を行う。
【０１０７】
また、処理４０４でセット（スタート）したタイマがタイムアウトするまでに、スタートキー７ａも「＃」キーも押し下げられなかった場合で、判断４０８の結果がＹＥＳになるときには、適切な原稿セット操作が行われなかったので、そのときに蓄積した画像データファイル（文書）を消去する（処理４０９）。そして、読取面モードフラグに奇数側モードの値をセットして（処理４１０）、このときの読取動作を終了（エラー終了）する。
【０１０８】
一方、処理４０４でセット（スタート）したタイマがタイムアウトするまでに、「＃」キーが押し下げられた場合で、判断４０７の結果がＹＥＳになる場合、裏面読取動作に移行する。
【０１０９】
すなわち、まず、両面原稿読取モードがセットされているかどうかを調べ（判断４１２）、判断４１２の結果がＹＥＳになるときには、現在の読取面モードフラグに奇数側モードの値がセットされているかどうかを調べる（判断４１３）。現在の読取面モードフラグに奇数側モードの値がセットされている場合で、判断４１３の結果がＹＥＳになるときには、両面原稿読取モードがセットされている場合で、かつ、表面の読取動作が終了した場合である。
【０１１０】
したがって、読取面モードフラグに偶数側モードの値をセットし（処理４１４）、所定時間（例えば、３０秒等）を計時するためのタイマをセット（スタート）し（処理４１５）、図６（ｃ）に示したような裏面セット指示ガイダンスを表示する（処理４１６）。
【０１１１】
そして、その状態で、処理４１５でセット（スタート）したタイマがタイムアウトするまでに、スタートキー７ａが押し下げられるどうかを調べる（判断４１７，４１８のＮＯループ）。
【０１１２】
処理４１５でセット（スタート）したタイマがタイムアウトするまでに、スタートキー７ａが押し下げられた場合で、判断４１７の結果がＹＥＳになるときには、処理４０１へ戻り、次の裏面セット原稿について、原稿の読み取り動作を行う。
【０１１３】
また、処理４１５でセット（スタート）したタイマがタイムアウトするまでに、スタートキー７ａが押し下げられなかった場合で、判断４１８の結果がＹＥＳになるときには、適切な原稿セット操作が行われなかったので、そのときに蓄積した画像データファイル（文書）を消去し（処理４１９）、読取面モードフラグに奇数側モードの値をセットして（処理４２０）、この原稿読取処理を終了する。
【０１１４】
また、継足原稿読取モードがセットされていない場合で、判断４０３の結果がＮＯになるときには、判断４１２へ進み、それ以降の処理を実行する。
【０１１５】
また、判断４１２の結果がＮＯになる場合、および、判断４１３の結果がＮＯになる場合には、処理４２０へ進み、読取面モードフラグに奇数側モードの値をセットして、この原稿読取処理を終了する。
【０１１６】
なお、ガイダンスメッセージの表示について、例えば、判断４０６，４０７，４０８のＮＯループを実行中、および、判断４１７，４１８のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【０１１７】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【０１１８】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【０１１９】
また、セット原稿の読み込みが終了した場合には、キー「＃」を押すことで、即両面原稿読取モードへ移行させることができるので、読取時に要する時間を短縮することができる。
【０１２０】
また、セット原稿の原稿台への載置操作がとぎれた場合には、それまでに読み込んで作成した画像データファイル（文書ファイル）を消去するようにしているので、ユーザが原稿読み取りの際のセット原稿の順番を間違えた等の誤操作した際、ユーザがわざわざ誤読取時の文書ファイルを消去するような操作が不要となり、便利である。
【０１２１】
図１２，１３は、原稿読取処理のまたさらに他の例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【０１２２】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理５０１）。また、この処理５０１を行っている間、液晶表示器７ｊには、図５（ｃ）に示したようなガイダンスメッセージを表示して、原稿読取動作中である旨をユーザに対して通知する。
【０１２３】
そして、１ページ分の原稿読み取りを終了すると、次のページが原稿台に載置されているかどうかを調べ（判断５０２）、判断５０２の結果がＹＥＳになるときには、処理５０１へ戻り、残りの原稿の読み取り動作を行う。
【０１２４】
原稿台に読取原稿が載置されていない場合で、判断５０２の結果がＮＯになるときには、１つのセット原稿の表面または読み取りが終了した場合である。そこで、そのときに継足原稿読取モードがセットされているかどうかを調べる（判断５０３）。
【０１２５】
判断５０３の結果がＹＥＳになるときには、所定時間（例えば、３０秒等）を計時するためのタイマをセット（スタート）し（処理５０４）、図５（ｅ）に示したような原稿セット可能ガイダンスを表示する（処理５０５）。そして、その状態で、処理５０４でセット（スタート）したタイマがタイムアウトするまでに、スタートキー７ａが押し下げられるかどうか、あるいは、追加の原稿がない旨を通知するための「＃」キーが押し下げられたかどうかを調べる（判断５０６，５０７，５０８のＮＯループ）。
【０１２６】
ここで、処理５０４でセット（スタート）したタイマがタイムアウトするまでに、スタートキー７ａが押し下げられた場合で、判断５０６の結果がＹＥＳになるときには、処理５０１へ戻り、次のセット原稿について、原稿の読み取り動作を行う。
【０１２７】
また、処理５０４でセット（スタート）したタイマがタイムアウトするまでに、スタートキー７ａも「＃」キーも押し下げられなかった場合で、判断５０８の結果がＹＥＳになるときには、適切な原稿セット操作が行われなかったので、図６（ａ）に示したような文書ファイルの消去をするか否かの問い合わせのガイダンスメッセージを表示して（処理５０９）、ユーザが文書の消去を希望するかどうかを確認する（判断５１０）。ユーザが文書の消去を希望した場合で、判断５１０の結果がＹＥＳになるときには、そのときに蓄積した画像データファイル（文書）を消去する（処理５１１）。そして、読取面モードフラグに奇数側モードの値をセットして（処理５１２）、このときの読取動作を終了（エラー終了）する。
【０１２８】
一方、処理５０４でセット（スタート）したタイマがタイムアウトするまでに、「＃」キーが押し下げられた場合で、判断５０７の結果がＹＥＳになる場合、および、処理５０９で表示したガイダンスメッセージに対して、ユーザが文書の消去を希望しない旨を選択した場合で、判断５１０の結果がＮＯになるときには、裏面読取動作に移行する。
【０１２９】
すなわち、まず、両面原稿読取モードがセットされているかどうかを調べ（判断５１３）、判断５１３の結果がＹＥＳになるときには、現在の読取面モードフラグに奇数側モードの値がセットされているかどうかを調べる（判断５１４）。現在の読取面モードフラグに奇数側モードの値がセットされている場合で、判断５１４の結果がＹＥＳになるときには、両面原稿読取モードがセットされている場合で、かつ、表面の読取動作が終了した場合である。
【０１３０】
したがって、読取面モードフラグに偶数側モードの値をセットし（処理５１５）、所定時間（例えば、３０秒等）を計時するためのタイマをセット（スタート）し（処理５１６）、図６（ｃ）に示したような裏面セット指示ガイダンスを表示する（処理５１７）。
【０１３１】
そして、その状態で、処理５１６でセット（スタート）したタイマがタイムアウトするまでに、スタートキー７ａが押し下げられるどうかを調べる（判断５１８７，５１９のＮＯループ）。
【０１３２】
処理５１６でセット（スタート）したタイマがタイムアウトするまでに、スタートキー７ａが押し下げられた場合で、判断５１８の結果がＹＥＳになるときには、処理５０１へ戻り、次の裏面セット原稿について、原稿の読み取り動作を行う。
【０１３３】
また、処理５１６でセット（スタート）したタイマがタイムアウトするまでに、スタートキー７ａが押し下げられなかった場合で、判断５１９の結果がＹＥＳになるときには、適切な原稿セット操作が行われなかった場合である。そこで、この場合には、図６（ａ）に示したような文書ファイルの消去をするか否かの問い合わせのガイダンスメッセージを表示して（処理５２０）、ユーザが文書の消去を希望するかどうかを確認する（判断５２１）。ユーザが文書の消去を希望した場合で、判断５２１の結果がＹＥＳになるときには、そのときに蓄積した画像データファイル（文書）を消去する（処理５２２）。そして、読取面モードフラグに奇数側モードの値をセットして（処理５２３）、このときの読取動作を終了する。
【０１３４】
一方、処理５２０で表示したガイダンスメッセージに対して、ユーザが文書の消去を希望しない旨を選択した場合で、判断５２１の結果がＮＯになるときには、処理５２３へ移行し、読取面モードフラグに奇数側モードの値をセットして、この原稿読取処理を終了する。
【０１３５】
また、継足原稿読取モードがセットされていない場合で、判断５０３の結果がＮＯになるときには、判断５１３へ進み、それ以降の処理を実行する。
【０１３６】
また、判断５１３の結果がＮＯになる場合、および、判断５１４の結果がＮＯになる場合には、処理５２３へ進み、読取面モードフラグに奇数側モードの値をセットして、この原稿読取処理を終了する。
【０１３７】
なお、ガイダンスメッセージの表示について、例えば、判断５０６，５０７，５０８のＮＯループを実行中、および、判断５１８，５１９のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【０１３８】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【０１３９】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【０１４０】
また、セット原稿の読み込みが終了した場合には、キー「＃」を押すことで、即両面原稿読取モードへ移行させることができるので、読取時に要する時間を短縮することができる。
【０１４１】
また、セット原稿の原稿台への載置操作がとぎれた場合には、それまでに読み込んで作成した画像データファイル（文書ファイル）を消去するか否かをユーザに問い合わせ、ユーザの希望に添った文書消去動作を行うようにしているので、ユーザが操作に手間取っているような場合、それまでの読取動作が無駄にならず、非常に便利である。また、途中で読み込んだ文書ファイルを消去できるので、ユーザが原稿の順序を間違えた場合などで、誤操作した場合、ユーザがわざわざ誤読取時の文書ファイルを消去するような操作が不要となり、便利である。
【０１４２】
図１４，１５は、原稿読取処理のまたさらに他の例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【０１４３】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理６０１）。また、この処理６０１を行っている間、液晶表示器７ｊには、図５（ｃ）に示したようなガイダンスメッセージを表示して、原稿読取動作中である旨をユーザに対して通知する。
【０１４４】
そして、１ページ分の原稿読み取りを終了すると、次のページが原稿台に載置されているかどうかを調べ（判断６０２）、判断６０２の結果がＹＥＳになるときには、処理６０１へ戻り、残りの原稿の読み取り動作を行う。
【０１４５】
原稿台に読取原稿が載置されていない場合で、判断６０２の結果がＮＯになるときには、１つのセット原稿の表面または読み取りが終了した場合である。そこで、そのときに継足原稿読取モードがセットされているかどうかを調べる（判断６０３）。
【０１４６】
判断６０３の結果がＹＥＳになるときには、所定時間（例えば、３０秒等）を計時するためのタイマをセット（スタート）し（処理６０４）、図５（ｅ）に示したような原稿セット可能ガイダンスを表示する（処理６０５）。そして、その状態で、処理６０４でセット（スタート）したタイマがタイムアウトするまでに、スタートキー７ａが押し下げられるかどうか、あるいは、追加の原稿がない旨を通知するための「＃」キーが押し下げられたかどうかを調べる（判断６０６，６０７，６０８のＮＯループ）。
【０１４７】
ここで、処理６０４でセット（スタート）したタイマがタイムアウトするまでに、スタートキー７ａが押し下げられた場合で、判断６０６の結果がＹＥＳになるときには、処理６０１へ戻り、次のセット原稿について、原稿の読み取り動作を行う。
【０１４８】
また、処理６０４でセット（スタート）したタイマがタイムアウトするまでに、スタートキー７ａも「＃」キーも押し下げられなかった場合で、判断６０８の結果がＹＥＳになるときには、適切な原稿セット操作が行われなかったので、図６（ａ）に示したような文書ファイルの消去をするか否かの問い合わせのガイダンスメッセージを表示して（処理６０９）、ユーザが文書の消去を希望するかどうかを確認する（判断６１０）。ユーザが文書の消去を希望した場合で、判断６１０の結果がＹＥＳになるときには、そのときに蓄積した画像データファイル（文書）を消去する（処理６１１）。そして、読取面モードフラグに奇数側モードの値をセットして（処理６１２）、このときの読取動作を終了（エラー終了）する。
【０１４９】
一方、処理６０４でセット（スタート）したタイマがタイムアウトするまでに、「＃」キーが押し下げられた場合で、判断６０７の結果がＹＥＳになる場合、および、処理６０９で表示したガイダンスメッセージに対して、ユーザが文書の消去を希望しない旨を選択した場合で、判断６１０の結果がＮＯになるときには、裏面読取動作に移行する。
【０１５０】
すなわち、まず、両面原稿読取モードがセットされているかどうかを調べ（判断６１３）、判断６１３の結果がＹＥＳになるときには、現在の読取面モードフラグに奇数側モードの値がセットされているかどうかを調べる（判断６１４）。現在の読取面モードフラグに奇数側モードの値がセットされている場合で、判断６１４の結果がＹＥＳになるときには、両面原稿読取モードがセットされている場合で、かつ、表面の読取動作が終了した場合である。
【０１５１】
したがって、読取面モードフラグに偶数側モードの値をセットし（処理６１５）、所定時間（例えば、３０秒等）を計時するためのタイマをセット（スタート）し（処理６１６）、図６（ｃ）に示したような裏面セット指示ガイダンスを表示する（処理６１７）。
【０１５２】
そして、その状態で、処理６１６でセット（スタート）したタイマがタイムアウトするまでに、スタートキー７ａが押し下げられるどうかを調べる（判断６１８７，６１９のＮＯループ）。
【０１５３】
処理６１６でセット（スタート）したタイマがタイムアウトするまでに、スタートキー７ａが押し下げられた場合で、判断６１８の結果がＹＥＳになるときには、処理６０１へ戻り、次の裏面セット原稿について、原稿の読み取り動作を行う。
【０１５４】
また、処理６１６でセット（スタート）したタイマがタイムアウトするまでに、スタートキー７ａが押し下げられなかった場合で、判断６１９の結果がＹＥＳになるときには、適切な原稿セット操作が行われなかった場合である。そこで、この場合には、図６（ａ）に示したような文書ファイルの消去をするか否かの問い合わせのガイダンスメッセージを表示して（処理６２０）、ユーザが文書の消去を希望するかどうかを確認する（判断６２１）。ユーザが文書の消去を希望した場合で、判断６２１の結果がＹＥＳになるときには、そのときに蓄積した画像データファイル（文書）を消去する（処理６２２）。そして、読取面モードフラグに奇数側モードの値をセットして（処理６２３）、このときの読取動作を終了する。
【０１５５】
一方、処理６２０で表示したガイダンスメッセージに対して、ユーザが文書の消去を希望しない旨を選択した場合で、判断６２１の結果がＮＯになるときには、処理６２３へ移行し、読取面モードフラグに奇数側モードの値をセットして、この原稿読取処理を終了する。
【０１５６】
また、継足原稿読取モードがセットされていない場合で、判断６０３の結果がＮＯになるときには、判断６１３へ進み、それ以降の処理を実行する。
【０１５７】
また、判断６１３の結果がＮＯになる場合には、処理６２３へ進み、読取面モードフラグに奇数側モードの値をセットして、この原稿読取処理を終了する。
【０１５８】
また、判断６１４の結果がＮＯになる場合には、全てのセット原稿の両面の読み取りが終了した場合であるので、おのおののセット原稿について表面枚数と裏面枚数とを比較し（処理６２４）、それらが一致しているかどうかを調べる（判断６２５）。判断６２５の結果がＹＥＳになるときには、適切に原稿読取動作が終了したので、処理６２３へ進み、読取面モードフラグに奇数側モードの値をセットして、この原稿読取処理を終了する。
【０１５９】
一方、判断６２５の結果がＮＯになるときには、セット原稿の表面枚数と裏面枚数が不一致の場合であり、セット原稿の誤選択操作等があった場合なので、処理６２２へ進み、そのときに蓄積した画像データファイル（文書）を消去し、読取面モードフラグに奇数側モードの値をセットして、この原稿読取処理を終了（エラー終了）する。
【０１６０】
なお、ガイダンスメッセージの表示について、例えば、判断６０６，６０７，６０８のＮＯループを実行中、および、判断６１８，６１９のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【０１６１】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【０１６２】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【０１６３】
また、表面のセット原稿の読み込みが終了した場合には、キー「＃」を押すことで、即両面原稿読取モードへ移行させることができるので、読取時に要する時間を短縮することができる。
【０１６４】
また、セット原稿の原稿台への載置操作がとぎれた場合には、それまでに読み込んで作成した画像データファイル（文書ファイル）を消去するか否かをユーザに問い合わせ、ユーザの希望に添った文書消去動作を行うようにしているので、ユーザが操作に手間取っているような場合、それまでの読取動作が無駄にならず、非常に便利である。また、途中で読み込んだ文書ファイルを消去できるので、ユーザが原稿の順序を間違えた場合などで、誤操作した場合、ユーザがわざわざ誤読取時の文書ファイルを消去するような操作が不要となり、便利である。
【０１６５】
また、おのおののセット原稿について、表面枚数と裏面枚数が一致していない場合には、ユーザのセット原稿の誤選択操作等があった場合であり、その場合には、読み込んだ文書ファイルを消去するようにしているので、誤操作した場合、ユーザがわざわざ誤読取時の文書ファイルを消去するような操作が不要となり、便利である。
【０１６６】
図１６，１７は、原稿読取処理のまたさらに他の例を示している。なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【０１６７】
読取原稿がスキャナ５にセットされ、読取開始が指令されると、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理７０１）。また、この処理７０１を行っている間、液晶表示器７ｊには、図５（ｃ）に示したようなガイダンスメッセージを表示して、原稿読取動作中である旨をユーザに対して通知する。
【０１６８】
そして、１ページ分の原稿読み取りを終了すると、次のページが原稿台に載置されているかどうかを調べ（判断７０２）、判断７０２の結果がＹＥＳになるときには、処理７０１へ戻り、残りの原稿の読み取り動作を行う。
【０１６９】
原稿台に読取原稿が載置されていない場合で、判断７０２の結果がＮＯになるときには、１つのセット原稿の表面または読み取りが終了した場合である。そこで、そのときに継足原稿読取モードがセットされているかどうかを調べる（判断７０３）。
【０１７０】
判断７０３の結果がＹＥＳになるときには、所定時間（例えば、３０秒等）を計時するためのタイマをセット（スタート）し（処理７０４）、図５（ｅ）に示したような原稿セット可能ガイダンスを表示する（処理７０５）。そして、その状態で、処理７０４でセット（スタート）したタイマがタイムアウトするまでに、スタートキー７ａが押し下げられるかどうか、あるいは、追加の原稿がない旨を通知するための「＃」キーが押し下げられたかどうかを調べる（判断７０６，７０７，７０８のＮＯループ）。
【０１７１】
ここで、処理７０４でセット（スタート）したタイマがタイムアウトするまでに、スタートキー７ａが押し下げられた場合で、判断７０６の結果がＹＥＳになるときには、処理７０１へ戻り、次のセット原稿について、原稿の読み取り動作を行う。
【０１７２】
また、処理７０４でセット（スタート）したタイマがタイムアウトするまでに、スタートキー７ａも「＃」キーも押し下げられなかった場合で、判断７０８の結果がＹＥＳになるときには、適切な原稿セット操作が行われなかったので、図６（ａ）に示したような文書ファイルの消去をするか否かの問い合わせのガイダンスメッセージを表示して（処理７０９）、ユーザが文書の消去を希望するかどうかを確認する（判断７１０）。ユーザが文書の消去を希望した場合で、判断７１０の結果がＹＥＳになるときには、そのときに蓄積した画像データファイル（文書）を消去する（処理７１１）。そして、読取面モードフラグに奇数側モードの値をセットして（処理７１２）、このときの読取動作を終了（エラー終了）する。
【０１７３】
一方、処理７０４でセット（スタート）したタイマがタイムアウトするまでに、「＃」キーが押し下げられた場合で、判断７０７の結果がＹＥＳになる場合、および、処理７０９で表示したガイダンスメッセージに対して、ユーザが文書の消去を希望しない旨を選択した場合で、判断７１０の結果がＮＯになるときには、裏面読取動作に移行する。
【０１７４】
すなわち、まず、両面原稿読取モードがセットされているかどうかを調べ（判断７１３）、判断７１３の結果がＹＥＳになるときには、現在の読取面モードフラグに奇数側モードの値がセットされているかどうかを調べる（判断７１４）。現在の読取面モードフラグに奇数側モードの値がセットされている場合で、判断７１４の結果がＹＥＳになるときには、両面原稿読取モードがセットされている場合で、かつ、表面の読取動作が終了した場合である。
【０１７５】
したがって、読取面モードフラグに偶数側モードの値をセットし（処理７１５）、所定時間（例えば、３０秒等）を計時するためのタイマをセット（スタート）し（処理７１６）、図６（ｃ）に示したような裏面セット指示ガイダンスを表示する（処理７１７）。
【０１７６】
そして、その状態で、処理７１６でセット（スタート）したタイマがタイムアウトするまでに、スタートキー７ａが押し下げられるどうかを調べる（判断７１８，７１９のＮＯループ）。
【０１７７】
処理７１６でセット（スタート）したタイマがタイムアウトするまでに、スタートキー７ａが押し下げられた場合で、判断７１８の結果がＹＥＳになるときには、処理７０１へ戻り、次の裏面セット原稿について、原稿の読み取り動作を行う。
【０１７８】
また、処理７１６でセット（スタート）したタイマがタイムアウトするまでに、スタートキー７ａが押し下げられなかった場合で、判断７１９の結果がＹＥＳになるときには、適切な原稿セット操作が行われなかった場合である。そこで、この場合には、図６（ａ）に示したような文書ファイルの消去をするか否かの問い合わせのガイダンスメッセージを表示して（処理７２０）、ユーザが文書の消去を希望するかどうかを確認する（判断７２１）。ユーザが文書の消去を希望した場合で、判断７２１の結果がＹＥＳになるときには、そのときに蓄積した画像データファイル（文書）を消去する（処理７２２）。そして、読取面モードフラグに奇数側モードの値をセットして（処理７２３）、このときの読取動作を終了する。
【０１７９】
一方、処理７２０で表示したガイダンスメッセージに対して、ユーザが文書の消去を希望しない旨を選択した場合で、判断７２１の結果がＮＯになるときには、処理７２３へ移行し、読取面モードフラグに奇数側モードの値をセットして、この原稿読取処理を終了する。
【０１８０】
また、継足原稿読取モードがセットされていない場合で、判断７０３の結果がＮＯになるときには、判断７１３へ進み、それ以降の処理を実行する。
【０１８１】
また、判断７１３の結果がＮＯになる場合には、処理７２３へ進み、読取面モードフラグに奇数側モードの値をセットして、この原稿読取処理を終了する。
【０１８２】
また、判断７１４の結果がＮＯになる場合には、全てのセット原稿の両面の読み取りが終了した場合であるので、おのおののセット原稿について表面枚数と裏面枚数とを比較し（処理７２４）、それらが一致しているかどうかを調べる（判断７２５）。判断７２５の結果がＹＥＳになるときには、適切に原稿読取動作が終了したので、処理７２３へ進み、読取面モードフラグに奇数側モードの値をセットして、この原稿読取処理を終了する。
【０１８３】
一方、判断７２５の結果がＮＯになるときには、セット原稿の表面枚数と裏面枚数が不一致の場合であり、セット原稿の誤選択操作等があった可能性がある場合である。そこで、この場合には、図６（ｄ）に示すように、セット原稿の表面枚数と裏面枚数が不一致しているので文書ファイルの消去をするか否かの問い合わせのガイダンスメッセージを表示して（処理７２６）、ユーザが文書の消去を希望するかどうかを確認する（判断７２７）。なお、処理７２６で表示するガイダンスメッセージは、例えば、同図（ｅ）に示すように、表面と裏面の読取ページ数の表示を含めるようにすると、ユーザにスキャナ５の読取時の誤動作等を確認させることもできるので、有効である。
【０１８４】
ここで、ユーザが文書の消去を希望した場合で、判断７２７の結果がＹＥＳになるときには、処理７２２へ進み、そのときに蓄積した画像データファイル（文書）を消去し、読取面モードフラグに奇数側モードの値をセットして、この原稿読取処理を終了（エラー終了）する。
【０１８５】
また、判断７２７の結果がＮＯになるときには、処理７２３へ移行し、読取面モードフラグに奇数側モードの値をセットし、この原稿読取処理を終了する。
【０１８６】
なお、ガイダンスメッセージの表示について、例えば、判断７０６，７０７，７０８のＮＯループを実行中、および、判断７１８，７１９のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【０１８７】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【０１８８】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【０１８９】
また、表面のセット原稿の読み込みが終了した場合には、キー「＃」を押すことで、即両面原稿読取モードへ移行させることができるので、読取時に要する時間を短縮することができる。
【０１９０】
また、セット原稿の原稿台への載置操作がとぎれた場合には、それまでに読み込んで作成した画像データファイル（文書ファイル）を消去するか否かをユーザに問い合わせ、ユーザの希望に添った文書消去動作を行うようにしているので、ユーザが操作に手間取っているような場合、それまでの読取動作が無駄にならず、非常に便利である。また、途中で読み込んだ文書ファイルを消去できるので、ユーザが原稿の順序を間違えた場合などで、誤操作した場合、ユーザがわざわざ誤読取時の文書ファイルを消去するような操作が不要となり、便利である。
【０１９１】
また、おのおののセット原稿について、表面枚数と裏面枚数が一致していない場合には、ユーザのセット原稿の誤選択操作等があった可能性がある場合であり、その場合には、それまでに読み込んで作成した画像データファイル（文書ファイル）を消去するか否かをユーザに問い合わせ、ユーザの希望に添った文書消去動作を行うようにしているので、例えば、あるセット原稿の最終ページの裏面が白紙であった場合、それまでの読取動作が無駄にならず、非常に便利である。また、ユーザの希望により読み込んだ文書ファイルを消去するようにしているので、誤操作した場合、ユーザがわざわざ誤読取時の文書ファイルを消去するような操作が不要となり、便利である。
【０１９２】
図１８，１９は、原稿読取処理のまたさらに他の例を示している。この場合は、原稿の先頭に送り状を付加して送信する場合に適用できる。本実施例では、送り状の画情報は、いわゆるドキュメントバンク機能に登録し、それ以降の原稿を送信原稿ファイルとして取り扱うようにする。また、送信時には、ドキュメントバンク機能に登録された送り状の画情報が１ページ目の画情報として送信される。
【０１９３】
なお、本実施例では、両面原稿読取モードを備えているので、現在読み取っている原稿面が、表面であるか裏面であるかを認識可能にする必要がある。そこで、本実施例では、現在読み取っている原稿面が表面であるか（奇数側モード）裏面であるか（偶数側モード）であるかを記憶する読取面モードフラグを備えている。そして、最初の読取動作に先立ち、読取面モードフラグには、奇数側モード（表面読取モード）がセットされる。
【０１９４】
読取原稿がスキャナ５にセットされ、読取開始が指令されると、そのときに送り状の原稿が付加されている旨が、ユーザにより指定されているかどうかを調べる（判断８０１）。スキャナ５を作動して、１枚の読取原稿を原稿台から分離して搬送するとともに、その読取原稿の読み取り面の原稿画像を読み取って（処理８０２）、それによって得た画像データを、送り状の画像データとしてドキュメントバンク機能へ登録する（処理８０３）。
【０１９５】
そして、それ以降の原稿については、通常の読取動作を行う。また、送り状の原稿が付加されている旨が指定されていない場合で、判断８０１の結果がＮＯになるときには、最初から通常の読取動作を行う。
【０１９６】
この通常の読取動作では、スキャナ５を作動して、１枚の読取原稿を原稿台から分離して搬送するとともに、その読取原稿の読み取り面の原稿画像を読み取って、それによって得た画像データを、読取面モードフラグの値およびそのときの読込ページ順序に応じて、ワークエリアの所定箇所へ保存する（処理８０４）。また、この処理８０４を行っている間、液晶表示器７ｊには、図５（ｃ）に示したようなガイダンスメッセージを表示して、原稿読取動作中である旨をユーザに対して通知する。
【０１９７】
そして、１ページ分の原稿読み取りを終了すると、次のページが原稿台に載置されているかどうかを調べ（判断８０５）、判断８０５の結果がＹＥＳになるときには、処理８０４へ戻り、残りの原稿の読み取り動作を行う。
【０１９８】
原稿台に読取原稿が載置されていない場合で、判断８０５の結果がＮＯになるときには、１つのセット原稿の表面または読み取りが終了した場合である。そこで、そのときに継足原稿読取モードがセットされているかどうかを調べる（判断８０６）。
【０１９９】
判断８０６の結果がＹＥＳになるときには、所定時間（例えば、３０秒等）を計時するためのタイマをセット（スタート）し（処理８０７）、図５（ｅ）に示したような原稿セット可能ガイダンスを表示する（処理８０８）。そして、その状態で、処理８０７でセット（スタート）したタイマがタイムアウトするまでに、スタートキー７ａが押し下げられるかどうか、あるいは、追加の原稿がない旨を通知するための「＃」キーが押し下げられたかどうかを調べる（判断８０９，８１０，８１１のＮＯループ）。
【０２００】
ここで、処理８０７でセット（スタート）したタイマがタイムアウトするまでに、スタートキー７ａが押し下げられた場合で、判断８０９の結果がＹＥＳになるときには、処理８０４へ戻り、次のセット原稿について、原稿の読み取り動作を行う。
【０２０１】
また、処理８０７でセット（スタート）したタイマがタイムアウトするまでに、スタートキー７ａも「＃」キーも押し下げられなかった場合で、判断８１１の結果がＹＥＳになるときには、適切な原稿セット操作が行われなかったので、図６（ａ）に示したような文書ファイルの消去をするか否かの問い合わせのガイダンスメッセージを表示して（処理８１２）、ユーザが文書の消去を希望するかどうかを確認する（判断８１３）。ユーザが文書の消去を希望した場合で、判断８１３の結果がＹＥＳになるときには、そのときに蓄積した画像データファイル（文書）を消去する（処理８１４）。そして、読取面モードフラグに奇数側モードの値をセットして（処理８１５）、このときの読取動作を終了（エラー終了）する。
【０２０２】
一方、処理８０７でセット（スタート）したタイマがタイムアウトするまでに、「＃」キーが押し下げられた場合で、判断８１０の結果がＹＥＳになる場合、および、処理８１２で表示したガイダンスメッセージに対して、ユーザが文書の消去を希望しない旨を選択した場合で、判断８１３の結果がＮＯになるときには、裏面読取動作に移行する。
【０２０３】
すなわち、まず、両面原稿読取モードがセットされているかどうかを調べ（判断８１６）、判断８１６の結果がＹＥＳになるときには、現在の読取面モードフラグに奇数側モードの値がセットされているかどうかを調べる（判断８１７）。現在の読取面モードフラグに奇数側モードの値がセットされている場合で、判断８１７の結果がＹＥＳになるときには、両面原稿読取モードがセットされている場合で、かつ、表面の読取動作が終了した場合である。
【０２０４】
したがって、読取面モードフラグに偶数側モードの値をセットし（処理８１８）、所定時間（例えば、３０秒等）を計時するためのタイマをセット（スタート）し（処理８１９）、図６（ｃ）に示したような裏面セット指示ガイダンスを表示する（処理８２０）。
【０２０５】
そして、その状態で、処理８１９でセット（スタート）したタイマがタイムアウトするまでに、スタートキー７ａが押し下げられるどうかを調べる（判断８２１，８２２のＮＯループ）。
【０２０６】
処理８１９でセット（スタート）したタイマがタイムアウトするまでに、スタートキー７ａが押し下げられた場合で、判断８２１の結果がＹＥＳになるときには、処理８０３へ戻り、次の裏面セット原稿について、原稿の読み取り動作を行う。
【０２０７】
また、処理８１９でセット（スタート）したタイマがタイムアウトするまでに、スタートキー７ａが押し下げられなかった場合で、判断８２２の結果がＹＥＳになるときには、適切な原稿セット操作が行われなかった場合である。そこで、この場合には、図６（ａ）に示したような文書ファイルの消去をするか否かの問い合わせのガイダンスメッセージを表示して（処理８２３）、ユーザが文書の消去を希望するかどうかを確認する（判断８２４）。なお、処理８２３で表示するガイダンスメッセージは、例えば、同図（ｅ）に示すように、表面と裏面の読取ページ数の表示を含めるようにすると、ユーザにスキャナ５の読取時の誤動作等を確認させることもできるので、有効である。
【０２０８】
ここで、ユーザが文書の消去を希望した場合で、判断８２４の結果がＹＥＳになるときには、そのときに蓄積した画像データファイル（文書）を消去する（処理８２５）。そして、読取面モードフラグに奇数側モードの値をセットして（処理８２６）、このときの読取動作を終了する。
【０２０９】
一方、処理８２３で表示したガイダンスメッセージに対して、ユーザが文書の消去を希望しない旨を選択した場合で、判断８２４の結果がＮＯになるときには、処理８２６へ移行し、読取面モードフラグに奇数側モードの値をセットして、この原稿読取処理を終了する。
【０２１０】
また、継足原稿読取モードがセットされていない場合で、判断８０６の結果がＮＯになるときには、判断８１６へ進み、それ以降の処理を実行する。
【０２１１】
また、判断８１６の結果がＮＯになる場合には、処理８２６へ進み、読取面モードフラグに奇数側モードの値をセットして、この原稿読取処理を終了する。
【０２１２】
また、判断８１７の結果がＮＯになる場合には、全てのセット原稿の両面の読み取りが終了した場合であるので、おのおののセット原稿について表面枚数と裏面枚数とを比較し（処理８２７）、それらが一致しているかどうかを調べる（判断８２８）。判断８２８の結果がＹＥＳになるときには、適切に原稿読取動作が終了したので、処理８２６へ進み、読取面モードフラグに奇数側モードの値をセットして、この原稿読取処理を終了する。
【０２１３】
一方、判断８２８の結果がＮＯになるときには、セット原稿の表面枚数と裏面枚数が不一致の場合であり、セット原稿の誤選択操作等があった可能性がある場合である。そこで、この場合には、図６（ｄ）に示すように、セット原稿の表面枚数と裏面枚数が不一致しているので文書ファイルの消去をするか否かの問い合わせのガイダンスメッセージを表示して（処理８２９）、ユーザが文書の消去を希望するかどうかを確認する（判断８３０）。ユーザが文書の消去を希望した場合で、判断８３０の結果がＹＥＳになるときには、処理８２５へ進み、そのときに蓄積した画像データファイル（文書）を消去し、読取面モードフラグに奇数側モードの値をセットして、この原稿読取処理を終了（エラー終了）する。
【０２１４】
また、判断８３０の結果がＮＯになるときには、処理８２６へ移行し、読取面モードフラグに奇数側モードの値をセットし、この原稿読取処理を終了する。
【０２１５】
なお、ガイダンスメッセージの表示について、例えば、判断８０９，８１０，８１１のＮＯループを実行中、および、判断８２１，８２２のＮＯループを実行中において、原稿読み取りを継続中で、画像データの蓄積中である旨をユーザに明確に通知するために、図５（ｃ）の原稿蓄積中をあらわすガイダンスメッセージを追加して表示することが好ましい。
【０２１６】
このようにして、本実施例では、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利である。
【０２１７】
また、１つのセット原稿（表面セット原稿または裏面セット原稿）の読取終了後に次のセット原稿がセットされた旨を、スタートキー７ａを押し下げることでユーザに通知させるようにしているので、ユーザは、読取動作の継続の状況を意識することができ、非常に有効である。
【０２１８】
また、表面のセット原稿の読み込みが終了した場合には、キー「＃」を押すことで、即両面原稿読取モードへ移行させることができるので、読取時に要する時間を短縮することができる。
【０２１９】
また、セット原稿の原稿台への載置操作がとぎれた場合には、それまでに読み込んで作成した画像データファイル（文書ファイル）を消去するか否かをユーザに問い合わせ、ユーザの希望に添った文書消去動作を行うようにしているので、ユーザが操作に手間取っているような場合、それまでの読取動作が無駄にならず、非常に便利である。また、途中で読み込んだ文書ファイルを消去できるので、ユーザが原稿の順序を間違えた場合などで、誤操作した場合、ユーザがわざわざ誤読取時の文書ファイルを消去するような操作が不要となり、便利である。
【０２２０】
また、おのおののセット原稿について、表面枚数と裏面枚数が一致していない場合には、ユーザのセット原稿の誤選択操作等があった可能性がある場合であり、その場合には、それまでに読み込んで作成した画像データファイル（文書ファイル）を消去するか否かをユーザに問い合わせ、ユーザの希望に添った文書消去動作を行うようにしているので、例えば、あるセット原稿の最終ページの裏面が白紙であった場合、それまでの読取動作が無駄にならず、非常に便利である。また、ユーザの希望により読み込んだ文書ファイルを消去するようにしているので、誤操作した場合、ユーザがわざわざ誤読取時の文書ファイルを消去するような操作が不要となり、便利である。
【０２２１】
また、送り状の送信原稿を先頭に付加した場合でも、適切に継足原稿読取モードと両面原稿読取モードを適用することができるので、非常に便利である。
【０２２２】
なお、上述した実施例では、グループ３ファクシミリ装置に対して、本発明を適用した場合について説明したが、原稿読取機能を備えたそれ以外の装置についても、本発明を同様にして適用することができる。
【０２２３】
【発明の効果】
以上説明したように、本発明によれば、継足原稿読取モードと両面原稿読取モードの両方が指定された場合には、表面について継足原稿読取モードの読取動作を行い、次いで、裏面について継足原稿読取モードの読取動作を行うようにしているので、ユーザが大量の読取原稿を処理する際の操作手順が円滑になり、セット原稿の組の間違いや、表面と裏面の区別の間違いなどを極力減らすことができ、非常に便利であるという効果を得る。
【図面の簡単な説明】
【図１】本発明の一実施例にかかるグループ３ファクシミリ装置の構成例を示したブロック図。
【図２】操作表示部７の一例を示した概略図。
【図３】読取時の文書イメージデータのページの並び順の一例を示した概略図。
【図４】図３のページをページ順序に並び替えた場合の文書イメージデータの一例を示した概略図。
【図５】操作表示部７の液晶表示器７ｊに表示する表示画面の一例を示した概略図。
【図６】操作表示部７の液晶表示器７ｊに表示する表示画面の一例を示した概略図（続き）。
【図７】原稿読取処理の一例を示したフローチャート。
【図８】原稿読取処理の他の例を示したフローチャート。
【図９】原稿読取処理のさらに他の例を示したフローチャート。
【図１０】原稿読取処理のまたさらに他の例を示したフローチャート。
【図１１】原稿読取処理のまたさらに他の例を示したフローチャート（続き）。
【図１２】原稿読取処理のまたさらに他の例を示したフローチャート。
【図１３】原稿読取処理のまたさらに他の例を示したフローチャート（続き）。
【図１４】原稿読取処理のまたさらに他の例を示したフローチャート。
【図１５】原稿読取処理のまたさらに他の例を示したフローチャート（続き）。
【図１６】原稿読取処理のまたさらに他の例を示したフローチャート。
【図１７】原稿読取処理のまたさらに他の例を示したフローチャート（続き）。
【図１８】原稿読取処理のまたさらに他の例を示したフローチャート。
【図１９】原稿読取処理のまたさらに他の例を示したフローチャート（続き）。
【符号の説明】
１  システム制御部
２  システムメモリ
３  パラメータメモリ
７  操作表示部
【図１】
0003958674.tif 000002
【図２】
0003958674.tif 000003
【図３】
0003958674.tif 000004
【図４】
0003958674.tif 000005
【図５】
0003958674.tif 000006
【図６】
0003958674.tif 000007
【図７】
0003958674.tif 000008
【図８】
0003958674.tif 000009
【図９】
0003958674.tif 000010
【図１０】
0003958674.tif 000011
【図１１】
0003958674.tif 000012
【図１２】
0003958674.tif 000013
【図１３】
0003958674.tif 000014
【図１４】
0003958674.tif 000015
【図１５】
0003958674.tif 000016
【図１６】
0003958674.tif 000017
【図１７】
0003958674.tif 000018
【図１８】
0003958674.tif 000019
【図１９】
0003958674.tif 000020